(57)【要約】【課題】ミニリモートコントローラを提供する。【解決手段】ミニリモートコントローラは、ケーシングと、信号送信ユニットと、制御ユニットと、電源とを備える。ケーシングのサイズは、小型メモリカードの仕様に適合し、メモリカードスロットに挿入できる。ユーザは、ミニリモートコントローラを用いて、映画を見たり、写真を見たり、音楽を再生することができる。見た後で、あるいは再生した後で、ユーザは携帯電子デバイスのメモリカードスロットにメモリカードスロットを簡単に挿入して、メモリカードスロットが紛失したり、あるいはどこかに置き忘れたりすることを防止できる。【選択図】図１
2006060782.tif 000002
【特許請求の範囲】
【請求項１】
ケーシングを備え、前記ケーシングの少なくとも部分寸法は、フラッシュメモリカード，ミニハードディスク，または差し込み可能記憶媒体のようなメモリカードのうちの少なくとも１つの寸法仕様を満たし、
前記ケーシング内に設けられ、無線信号を送信する信号送信ユニットと、
複数のキーを有し、前記ケーシング内に設けられ、命令を実行する制御ユニットと、
前記ケーシング内に設けられ、電力を与える電源と、
を備えるミニリモートコントローラ。
【請求項２】
前記電源が、充電用コネクタと、再充電可能バッテリとを有し、前記再充電可能バッテリは、前記ケーシング内に設けられ、前記充電用コネクタを介して再充電できる、請求項１に記載のミニリモートコントローラ。
【請求項３】
前記ケーシング内に設けられた光源およびスイッチングデバイスをさらに備え、前記光源は、前記スイッチングデバイスがスイッチオンされると、光ビームを投射できる、請求項１に記載のミニリモートコントローラ。
【請求項４】
前記光源はレーザである、請求項３に記載のミニリモートコントローラ。
【請求項５】
前記ケーシングを構成する材料は、プラスチックまたは金属を含む、請求項１に記載のミニリモートコントローラ。
【請求項６】
前記信号送信ユニットは、赤外線送信ユニットまたはブルーテゥース送信ユニットである、請求項１に記載のミニリモートコントローラ。
【請求項７】
ミニリモートコントローラを有する携帯デジタルデバイスであって、
第１のメモリカードスロットと、第２のメモリカードスロットと、信号受信ユニットとを有する携帯デジタルデバイス・ケーシングを備え、前記第１および第２のメモリカードスロットは、フラッシュメモリカード，ミニハードディスク，または差し込み可能記憶媒体のような小型メモリカードのうちの少なくとも１つに適合し、
前記第１メモリカードスロットまたは第２のメモリカードスロットの内部に設けられるミニリモートコントローラを備え、
前記ミニリモートコントローラは、
前記メモリカードのうちの少なくとも１つの寸法仕様を満たす少なくとも部分寸法を有するケーシングと、
前記ケーシング内に設けられ、前記信号受信ユニットに無線信号を送信する信号送信ユニットと、
前記信号送信ユニットに接続され、前記ケーシング上に露出した複数のキーを有し、前記携帯デジタルデバイスのアプリケーション・プログラムの少なくとも１つを動作させる命令を実行する制御ユニットと、
前記ケーシング内に設けられ、電力を与える電源とを有する、
携帯デジタルデバイス。
【請求項８】
前記携帯デジタルデバイス・ケーシングは、デジタルカメラまたはデジタルカムコーダを含む、請求項７に記載の携帯デジタルデバイス。
【請求項９】
前記制御ユニットは、シャッタ作動コマンド，ディレイ作動コマンド，フラッシュライト作動コマンド，光／デジタル・ズーミング・コマンドのうちの少なくとも１つを実行する、請求項７に記載の携帯デジタルデバイス。
【請求項１０】
前記携帯デジタルデバイス・ケーシングは、ノートブックコンピュータを含む、請求項７に記載の携帯デジタルデバイス。
【請求項１１】
前記携帯デジタルデバイス・ケーシングは、携帯情報端末（ＰＤＡ）を含む、請求項７に記載の携帯デジタルデバイス。
【請求項１２】
前記電源が、前記ケーシング内に設けられた充電用コネクタおよび再受電可能バッテリを有し、前記再充電可能バッテリは、前記充電用コネクタを介して再充電できる、請求項７に記載の携帯デジタルデバイス。
【請求項１３】
前記ミニリモートコントローラは、前記ミニリモートコントローラ・ケーシング上に設けられた光源およびスイッチングデバイスを有し、前記光源は、前記スイッチングデバイスがスイッチオンされると、光ビームを投射できる、請求項７に記載の携帯デジタルデバイス。
【請求項１４】
前記光源はレーザ光源を含む、請求項１３に記載の携帯デジタルデバイス。
【請求項１５】
前記アプリケーション・プログラムは、写真プレビュー機能を与えるアプリケーション・プログラムを含む請求項７に記載の携帯デジタルデバイス。
【請求項１６】
前記アプリケーション・プログラムは、スライドショー表示機能を与えるアプリケーション・プログラムを含む、請求項７に記載の携帯デジタルデバイス。
【請求項１７】
前記アプリケーション・プログラムは、映画再生機能を与えるアプリケーション・プログラムを含む、請求項７に記載の携帯デジタルデバイス。
【請求項１８】
前記アプリケーション・プログラムは、音楽再生機能を与えるアプリケーション・プログラムを含む請求項７に記載の携帯デジタルデバイス。
【請求項１９】
ケーシングが信号受信ユニットおよび少なくとも拡張スロットを有する携帯コンピュータに提示を作成するのに適したリモートコントローラであって、
前記拡散スロットの寸法仕様を満たし、前記拡張スロットに差し込みできるケーシングと、
前記ケーシング内に設けられ、無線信号を前記信号受信ユニットに送信する送信ユニットと、
前記信号送信ユニットに接続され、前記ケーシング上に露出した、カーソルの位置を指示するインディケータと、
前記信号送信ユニットに接続され、前記ケーシング上に露出し、提示情報の再生を制御する複数の入力キーと、
前記ケーシング内に設けられ、電力を与える電源とを備えるリモートコントローラ。
【請求項２０】
前記電源が、前記ケーシング内に設けられた充電用コネクタおよび再充電可能バッテリを有し、前記再充電可能バッテリは、電源から前記拡張スロットを介して電力を受け取ることによって、前記充電用コネクタを介して再充電できる、請求項１９に記載のリモートコントローラ。
【請求項２１】
前記ケーシング内に設けられた光源およびスイッチングデバイスを有し、前記光源は、前記スイッチングデバイスがスイッチオンされると、光ビームを投射できる、請求項１９に記載のリモートコントローラ。
【請求項２２】
前記光源はレーザ光源を含む、請求項２１に記載のリモートコントローラ。
【請求項２３】
前記ケーシングを構成する材料は、プラスチックまたは金属を含む、請求項１９に記載のリモートコントローラ。
【請求項２４】
前記信号送信ユニットは、赤外線送信ユニットまたはブルーテゥース送信ユニットを有する、請求項１９に記載のリモートコントローラ。
【請求項２５】
前記インディケータは、タッチコントローラパネルを含む請求項１９に記載のリモートコントローラ。
【請求項２６】
前記インディケータは、トラッカボールを含む請求項１９に記載のリモートコントローラ。
【請求項２７】
前記拡張スロットは、ＰＣＭＣＩＡ拡張スロットまたはＰＣＩエクスプレススロットである、請求項１９に記載のリモートコントローラ。
【発明の詳細な説明】
【技術分野】
【０００１】
本発明は、リモートコントローラに関する。特に、本発明は、携帯電子デバイスのメモリカードと適合する仕様を有するミニリモートコントローラに関する。
【背景技術】
【０００２】
到来するハイテク情報時代では、毎日、多量のデータが送信され受信される個人間の通信を容易にするためには、パーソナルコンピュータ（ＰＣ）のサイズは縮小して、携帯性を増大させ、ノートブックコンピュータおよび携帯情報端末（ＰＤＡ）のような小型の携帯電子デバイスが、ＰＣにとって代わり、一般的になってきた。携帯できるためには、ＰＤＡは、あらゆる場所でいつでも操作きるように、スリム，軽量，小型，コンパクトでなければならない。同様に、ノートブックコンピュータは、パワフルな機能を有し、持ち運びおよび操作が容易であるので、車両上の人，オフィスワーカ，学生にとって、非常に魅力的なデバイスである。これらの携帯デバイスの人気を知っている製造業者は、いろいろな周辺装置を開発して、ノートブックコンピュータのアプリケーションを強化してきた。
【０００３】
オーディオ−ビジュアル・エンターテイメントのためには、ノートブックコンピュータは、いろいろなマルチメディア・エンターテイメント，デジタル情報送信センタ，重要な情報を蓄積する場所を備えている。例えば、学生は、ノートブックコンピュータを用いて、写真を表示し、または音楽または映画を再生する。映画を見る際に最も有用なデバイスは、リモートコントローラである。というのは、リモートコントローラは、ユーザがノートブックコンピュータから離れた位置で、機能を変更することを可能にするからである。手もとでのリモートコントローラでは、マルチメディア再生機能を開始させるために、コンピュータのキーを押すことは不必要である。しかし、従来のリモートコントローラは、ノートブックコンピュータから完全に分離した別個のデバイスである。さらに、リモートコントローラの大きなサイズの故に、ノートブックコンピュータとは別のボックス内に置かれる。ユーザがボックスを持ってくるのを忘れると、ユーザがリモートコントローラなしに指示または指令を出すことが、非常に不便である。従来のリモートコントローラは、ノートブックコンピュータに収容するように構成されていない。したがって、リモートコントローラを紛失しやすく、保管しておくのに不便である。
【発明の開示】
【発明が解決しようとする課題】
【０００４】
したがって、本発明の少なくとも１つの目的は、少なくとも１つの種類のメモリカードスロットの仕様に合致する仕様を有するミニリモートコントローラを提供することにある。したがって、ミニリモートコントローラは、メモリカードスロットに挿入して、リモートコントローラを紛失する危険性を最小にし、保管の問題をも解決する。
【課題を解決するための手段】
【０００５】
これらおよび他の利点を実現するために、本発明によれば、ここで具体的かつ明瞭に説明するように、本発明は、ミニリモートコントローラを提供する。ミニリモートコントローラは、主に、ケーシングと、信号送信ユニットと、制御ユニットと、電源とを備える。ケーシングは、フラッシュメモリカード，ミニハードディスク，および差し込み可能記憶媒体のような小型メモリカードのうちの少なくとも１つの仕様に合致する部分寸法を有している。信号送信ユニットは、ケーシング内に設けられ、無線信号を送信する。制御ユニットは、ケーシング上に設けられた複数のキーを有し、命令を実行する。電源は、ケーシング内に設けられ、電源を与える。
【０００６】
本発明の好適な一実施例におけるミニリモートコントローラによれば、電源は、充電用コネクタと、再充電可能バッテリとを有する。再充電可能バッテリは、ケーシング内に設けられ、充電用コネクタを介して再充電できる。
【０００７】
本発明の好適な一実施例におけるミニリモートコントローラによれば、光源およびスイッチングデバイスをさらに備えることができる。光源およびスイッチングデバイスはケーシングに配置され、光源は、スイッチングデバイスによりスイッチオンして、光ビームを投射できる。光源は、例えばレーザである。
【０００８】
本発明の好適な一実施例によれば、ケーシングは、プラスチックまたは金属のような材料を用いて製造できる。さらに、信号送信ユニットは、赤外線送信ユニットまたはブルーテゥース送信ユニットとすることができる。さらに、ミニリモートコントローラは、携帯電子デバイスに含まれる、画像の表示，スライドショーの開始，あるいは映画または音楽の再生のようなアプリケーション・プログラムを実行できる。
【０００９】
前述した目的を達成するために、本発明は、また、ミニリモートコントローラを有する携帯デジタルデバイスを提供する。この携帯デジタルデバイスは、第１のメモリカードスロットと、第２のメモリカードスロットと、信号受信ユニットとを有する携帯デジタルデバイス・ケーシングを備えている。第１および第２のメモリカードスロットは、フラッシュメモリカード，ミニハードディスク，または差し込み可能記憶媒体のような小型メモリカードスロットのうちの少なくとも１つに適合する。ミニリモートコントローラは、第１メモリカードスロットまたは第２メモリカードスロットの内部に設けられる。ミニリモートコントローラは、ケーシングと、信号送信ユニットと、制御ユニットと、電源とを有している。ミニリモートコントローラのケーシングは、前述した小型メモリカードのうちの少なくとも１つと合致する少なくとも部分寸法を有する。信号送信ユニットは、ケーシング内に設けられ、信号受信ユニットに無線信号を送信する。
【００１０】
制御ユニットは、信号送信ユニットに接続され、ケーシング上に露出した複数のキーを有し、携帯デジタルデバイスのアプリケーション・プログラムの少なくとも１つを動作させる命令を実行する。電源は、ミニリモートコントローラ・ケーシング内に設けられ、電力を与える。
【００１１】
本発明は、また、携帯コンピュータにおいて、提示を作成するのに適したリモートコントローラを提供する。提示を作成するリモートコントローラは、主に、ケーシングと、信号送信ユニットと、インディケータと、複数の入力キーと、電源とを備えている。
【００１２】
リモートコントローラ・ケーシングは、拡張スロットの仕様に合致する、したがってケーシングを拡張スロットに挿入するのに適した部分寸法を有している。送信ユニットは、リモートコントローラ・ケーシング内に設けられ、無線信号を信号受信ユニットに送信する。
【００１３】
インディケータは、信号送信ユニットに接続され、リモートコントローラ・ケーシングの外に露出し、カーソルの位置を指示する。入力キーは、信号送信ユニットに接続され、リモートコントローラ・ケーシングの外に露出し、提示データの再生を制御する。電源は、リモートコントローラ・ケーシングの内側に設けられ、電力を与える。
【００１４】
したがって、本発明のミニリモートコントローラは、メモリカードスロットの仕様に合致する外部寸法を有するので、リモートコントローラを、メモリカードスロット内に保管することができる。前述した特徴により、ユーザは、携帯電子デバイスのスロットからリモートコントローラを簡単に引き出し、映画または音楽を再生できる。映画再生または音楽鑑賞が終ると、リモートコントローラを、携帯電子デバイスのメモリスロットに再び挿入することができる。この構成は、リモートコントローラを簡単に紛失しやすく、保管が不便であるという問題を解決している。したがって、リモートコントローラをどこかに落としたり、リモートコントローラをどこかに忘れたりすることにより、リモートコントローラを紛失する機会がかなり減る。さらに、リモートコントローラは、携帯電子デバイスの外観に影響を与えず、携帯電子デバイスの追加のスペースを占有しない。
【００１５】
前述した一般的な説明および以下の詳細な説明は例示であり、本発明のさらなる説明を与えることが意図されることを理解すべきである。
【発明を実施するための最良の形態】
【００１６】
本発明の好適な実施例を、以下に詳細に説明する。実施例は、図面に示されている。図面および説明中において、同一または類似の要素については、同一の参照番号を用いる。
【００１７】
図１は、本発明の好適な一実施例による、携帯電子デバイス（メモリカードスロットを有する）に挿入されたミニリモートコントローラの斜視図である。携帯電子デバイス２００は、図１に示すノートブックコンピュータに限定されないことに留意すべきである。携帯電子デバイス２００は、例えば、デジタルカメラ，デジタルビデオレコーダ，携帯情報端末とすることができる。さらに、携帯電子デバイス２００は、信号受信ユニット２１２と、フラッシュメモリカード，ミニハードディスク，または交換可能なストレージメディアのようなメモリカードのうちの少なくとも１つと適合する複数のメモリカードスロット２０４，２０６とを有する。
【００１８】
本発明の好適な一実施例では、携帯電子デバイス２００は、ノートブックコンピュータ（図１の携帯電子デバイス２００）である。携帯電子デバイス２００の下部２０２（または側部）は、例えばメモリカードスロット２０４を有する。メモリカードスロット２０４は、ＣＦカード，ＭＳカード，ＳＤカード，またはＭＭＣカードのようなメモリカードのうちの少なくとも１つを収容できる。ミニリモートコントローラ１００は、携帯電子デバイス２００を制御するのに好適である。さらに、ミニリモートコントローラ１００は、従来のメモリカードと適合するサイズを有するので、ミニリモートコントローラ１００は、携帯電子デバイス２００のＣＦスロットのようなメモリカードスロットのうちのいずれか１つに挿入することができる。したがって、ミニリモートコントローラ１００を、携帯電子デバイス２００内に保管することができる。
【００１９】
前述した各メモリカードは、異なる寸法を有し、互いに適合しないので、大半の携帯電子デバイスは、ＣＦカードスロットおよびＭＳカードスロットのような多数のメモリカードスロットを有するであろう。図１において、携帯電子デバイス２００は、選択を容易にするため、２つのメモリカードスロット２０４，２０６を有している。スロット２０６のような１つの特定の仕様のメモリカードを用いるユーザにとって、メモリカードスロット２０４は空きであり、したがってミニコンピュータ１００を保管するのに用いることができる。
【００２０】
図１に示されるレイアウトによれば、リモートコントローラ１００を、携帯電子デバイス２００のスロット２０４から取り出して、ユーザが例えば映画を見る場合には、映画の再生を開始させることができる。映画の終了時に、リモートコントローラ１００を携帯電子デバイス２００のメモリカードスロット２０４に戻すことができる。したがって、携帯電子デバイスは、リモートコントローラのための保管スペースを与えることができるので、置きまちがいによるリモートコントローラの紛失の機会が減る。さらに、リモートコントローラは、携帯電子デバイスのいかなる追加のスペースをも占有せず、同じ外観を有する。
【００２１】
図２は、本発明の好適な一実施例による、ミニリモートコントローラ内の回路制御部を示すブロック図である。リモートコントローラ１００は、信号送信ユニット１２０と制御ユニット１３０とを有する。制御ユニット１３０は、複数の数字キー１３４と、複数のファンクションキー１３２とを有する。これらは、例えば識別回路１３６に電気的に接続される。識別回路１３６は、押し下げられた数字キー１３４またはファンクションキー１３２を識別し、キーから信号送信ユニット１２０へ命令を送信することができる。信号送信ユニット１２０は、信号１６０を発生し、信号１６０を携帯電子デバイス２００の信号受信ユニット２１２へ送信して、携帯電子デバイス２００でアプリケーション・プログラムの少なくとも１つを制御する。信号送信ユニット１２０は、無線信号１６０を信号受信ユニット２１２へ送信するための、例えば、赤外線送信ユニットまたはブルートゥース（ｂｌｕｅ  ｔｏｏｔｈ）送信ユニットとすることができる。
【００２２】
図２に示すように、電源１５０は、ミニリモートコントローラ１００内に収容されている。電源１５０は、電力を与えるためにケージング１１０内に設けられる。電源１５０は、例えば、再充電可能なバッテリ１５４および充電用コネクタ１５６を有することができる。リモートコントローラ１００がその内部電力をすべて使いつくすと、リモートコントローラ１００を、携帯電子デバイス２００のメモリカードスロット２０４に差し込むことができる。携帯電子デバイス２００のメモリカードスロット２０４は、リモートコントローラ１００の保管スペースのみならず、充電用コネクタ１５６とメモリカードスロット２０４とを相互接続し、充電回路１５２によって再充電可能バッテリ１５４を充電することにより、ミニリモートコントローラ１００用の電源（図示せず）をも与える。しかし、ミニリモートコントローラ１００を駆動する電力は、再充電可能バッテリ１５４に限定されない。リチウム（Ｌｉイオン）バッテリのような他の種類のバッテリ、またはリモートコントローラ１００に電力を与える他の方法を、用いることができる。
【００２３】
図２に示すように、ミニリモートコントローラ１００は、光源１１２とスイッチングデバイス１１４とを有することができる。したがって、リモートコントローラ１００は、レーザペンとして機能することができる。レーザペンは、レーザ光源を有し、例えば、レーザビームを、投射することができる。リモートコントローラ１００のスイッチングデバイス１１４がＯＮにスイッチされると、ミニリモートコントローラ１００の光源１１２は、ユーザが目標とする位置に、ビームを投射する。このようにして、ユーザは、リモートコントローラ１００を動かして、提示（Ｐｒｅｓｅｎｔａｔｉｏｎ）の特定の内容を説明するときに、投射された光ビームの動きを制御することができる。
【００２４】
図３は、本発明の好適な一実施例に基づく、ノートブックコンピュータを制御するミニリモートコントローラの制御フローを示すブロック図である。図２の制御フローの続きとして、携帯電子デバイス２００の信号受信ユニット２１２が信号１６０を受信すると、信号１６０は、携帯電子デバイス２００の処理ユニット２１０に送られる。処理ユニット２１０は、信号受信ユニット２１２と、中央処理ユニット（ＣＰＵ）２１４と、表示デバイス２１６とを有している。ミニリモートコントローラ１００の数字キーまたはファンクションキーが押されると、ミニリモートコントローラ１００内の信号送信ユニット１２０が、ユーザによるコマンド入力に従って、信号１６０を発生する。信号１６０が、信号受信ユニット２１２によって受信され、中央処理ユニット（ＣＰＵ）２１４によって処理された後、現在の機能状態（現在実行されているコマンド、例えば「前ページ」，「次ページ」，「停止」）は、携帯電子デバイス２００のスクリーン上に表示される。さらに、ミニリモートコントローラ１００は、画像プレビュー，スライドショー，または映画・音楽再生などのような他のアプリケーション・プログラムを、携帯電子デバイス２００において、実行することができる。
【００２５】
図４は、本発明の好適な一実施例に基づく、ミニリモートコントローラの外観を示す図である。図４に示すように、ミニリモートコントローラ１００は、メモリカードスロットの寸法仕様に合致するように製造されたケーシング１１０を主に有している。リモートコントローラ１００は、メモリカードスロットに簡単に挿入でき、容易に保管できる。ケーシング１００は、プラスチックまたは金属を用いて製造される。さらに、ケーシング１１０は、光源１１２，スイッチングデバイス１１４，信号送信ユニット１２０，制御ユニット１３０を有することができる。
【００２６】
制御ユニット１３０は、複数の数字キー１３４と、複数のファンクションキー１３２とを有している。ファンクションキー１３２は、再生／休止キー１３２ａ，次へのスキップキー１３２ｂ，前へのスキップキー１３２ｃ，高速リバースキー１３２ｄ，高速フォワードキー１３２ｅ，停止キー１３２ｆとを有している。これらのファンクションキーは、例えば、携帯情報端末（ＰＤＡ）またはノートブックコンピュータを含む携帯電子デバイスにおいて、音楽またはオーディオ−ビジュアル・ソフトウェアの再生を制御するために用いられる。
【００２７】
前述した再生／休止キー１３２ａは、現在の音楽タイトルまたは映画の章を開始または休止させることができる。次へのスキップキー１３２ｂまたは前へのスキップキー１３２ｃは、次のまたは前への音楽タイトルまたは映画章へジャンプすることができ、高速リバースキー１３２ｄまたは高速フォワードキー１３２ｅは、再生している音楽タイトルまたは映画章の高速リバースまたは高速フォワードを行うことができ、停止キー１３２ｆは、現在再生している音楽タイトルまたは映画を停止することができる。
【００２８】
図５は、本発明の好適な一実施例に基づく、ミニリモートコントローラの外観を示す図である。図５に示すように、ミニリモートコントローラ１００は、音楽ソフトウェアまたはオーディオ−ビジュアル・ソフトウェアを再生するためのファンクションキーのみならず、デジタルカメラ，デジタルカムコーダを動作させるためのファンクションキー１４２を有している。さらに他のファンクションキーキーは、電力キー１４２ａ，シャッタキー１４２ｂ，ディレイキー１４２ｃ，フラッシュライトキー１４２ｄ，ズームインキー１４２ｅ，ズームアウトキー１４２ｆを含んでいる。
【００２９】
電力キー１４２ａは、デジタルカメラまたはデジタルカムコーダへの電力をオンまたはオフにスイッチすることができ、シャッタキー１４２は、写真を撮るあるいは記録セッションを開示させるために、デジタルカメラまたはデジタルカムコーダを開始することができ、ディレイキー１４２ｃは、写真撮影またはカムコーダ記録動作を開始させる前に、デジタルカメラまたはデジタルカムコーダに、ディレイ期間を与えることができ、フラッシュライトキー１４２ｄは、デジタルカメラが写真を撮るときに、フラッシュライトのオンまたはオフを制御することができ、ズームインキー１４２ｅは、デジタルカメラまたはデジタルカムコーダの焦点を減少させることができ、ズームアウトキー１４２ｆは、デジタルカメラまたはデジタルカムコーダの焦点を増大させることができる。
【００３０】
図４および図５に示すように、数字０〜９を含むミニリモートコントローラ１００の数字キー１３４と、エンターキー（入力キー）とは、デジタルカメラ，携帯情報端末，またはノートブックコンピュータのような携帯電子デバイスにおいて、音楽ソフトウェア，プレビュー写真または映画の再生を制御するための対応したファンクションキーである。まず、数字０〜９の１つが押されて、再生のための特定の音楽タイトルまたは映画章の数が選択される。次に、エンターキーが押されて、コマンドを確認する。携帯情報端末のような携帯電子デバイス２００の音楽再生ソフトウェアは、入力音楽タイトルを再生する。携帯電子デバイス２００が、デジタルカメラまたはデジタルカムコーダである場合、デジタルカメラまたはデジタルカムコーダにおける写真または映画のプレビューソフトウェアが、入力された写真または映画章の数に従って、液晶表示スクリーンに、写真または映画を表示する。
【００３１】
前述した実施例は、一例として、ノートブックコンピュータを用いている。ミニリモートコントローラの外部寸法は、小型メモリカードの使用に従って作成されるので、リモートコントローラをメモリカードスロットに挿入して、簡単に保管することができる。しかし、本発明の趣旨は、これに限定されるものではない。本発明のミニリモートコントローラの設計コンセプトは、携帯情報端末のような他の形態にも適用できる。さらに、本発明は、デジタルビデオ（ＤＶ）カメラまたはデジタルカメラのような信号受信ユニットを有する携帯電子デバイスにも適用できる。携帯電子デバイスは、複数の異なる種類のメモリカードスロットを有し、少なくともその１つは、リモートコントローラの外部寸法に一致する。
【００３２】
図６は、本発明の好適な他の実施例に基づく、携帯コンピュータ（拡張スロットを有する）に挿入される提示を作成するリモートコントローラを示す斜視図である。図６に示すように、携帯コンピュータ３００のホスト３０６は、ＰＣＭＣＩＡスロットまたはＰＣＩエクスプレススロットのような複数の拡張スロット３０２を有する。本発明において、提示を行うリモートコントローラ４００は、共通の拡張インタフェースカードのサイズを有し、ノートブックコンピュータ３００の拡張スロット３０２ａ，３０２ｂの一方に挿入して、リモートコントローラ４００を保管することができる。さらに、プッシュボタン３０４ａ，３０４ｂが、拡張スロット３０２ａ，３０２ｂの側部の近くに設けられる。ユーザが提示を行うことが必要となる場合、リモートコントローラ４００を、プッシュボタン３０４を押すことによって、携帯コンピュータ３００の拡張スロット３０２から取り出すことができる。
【００３３】
図７は、本発明に基づいて提示を行うリモートコントローラの外観を示す図である。リモートコントローラ４００は、拡張スロットの寸法仕様に一致するように製造されたケーシング４１０を備え、したがってリモートコントローラは、拡張スロットにクリップすることができる。ケーシング４１０は、例えば、プラスチックまたは金属を用いて製造される。信号送信ユニット４２０，インディケータ４３０，複数の入力キー４４０，光源４１２，スイッチングデバイス４１４は、ケーシング４１０の内部に設けられる。光源４１２は、提示の中でなにかを説明するときに、ポインタとして、用いられる。ユーザが、スイッチングデバイス４１４を「オン」位置にターンすると、光源４１２がオンしてリモートコントローラ４００は、光ビームを投射し、ユーザは、リモートコントローラを動かすことによって、光の動きを制御することができる。上述したように、ユーザは、提示の中の特定の内容を説明するときに、リモートコントローラ４００の光源４１２を任意の位置に向けることができる。さらに、光ビームを、例えば、レーザビームとすることができる。さらに、入力キー４４０は、複数の数字キー４４２と複数のファンクションキー４４４とを含んでいる。提示を行うためのリモートコントローラ４００では、数字キー４４２は数字０〜９を含んでおり、エンターキー（入力キー）およびファンクションキー４４４は、交換キー（Ｎｕｍ  Ｌｏｃｋ），インサートキー（Ｉｎｓ），ディリートキー（Ｄｅｌ），ページアップキー（Ｐｇ  Ｕｐ），ページダウンキー（Ｐｇ  Ｄｎ），ホームキー（Ｈｏｍｅ），エンドキー（Ｅｎｄ）を含んでいる。
【００３４】
提示リモートコントローラ４００を操作するためには、提示のページ番号は、数字キー０〜９を押すことによって、最初に入力される。次に、エンターキーを押して、確認を行い、アクションを開始する。提示は、選択されたページにジャンプして、ユーザが提示を行うことを容易にする。ファンクションキー４４４は、提示のページを変更する機能を有している。例えば、Ｎｕｍ  Ｌｏｃｋキーは、数字キーをファンクションキーと交換するために用いられる。インサートキー（Ｉｎｓ）およびディリートキー（Ｄｅｌ）は、データを挿入又は削除するために用いることができる。ページアップキー（Ｐｇ  Ｕｐ）およびページダウンキー（Ｐｇ  Ｄｎ）は、ページをアップまたはダウンするために用いることができる。ホームキー（Ｈｏｍｅ）およびエンドキー（Ｅｎｄ）は、最初のページおよび最後のページへ移動するのに用いることができる。
【００３５】
信号送信ユニット４２０とインディケータ４３０と電源４５０との間の接続は、図２およびその説明を参照できる。電源４５０の充電用コネクタ４５６を、ホスト３０６の電源３０８に接続して、電力を充電することができる。インディケータ４３０は、カーソルの位置を示すために用いられる。インディケータ４３０は、例えば、トラッカボール（図示せず）またはタッチコントローラパネルとすることができる。一例として、タッチコントローラパネル４３０を用いると、指先がリモートコントローラ４００のタッチコントローラパネル４３０上を動くにつれて、ウィンドウ内のカーソルが、指先の動きに従って移動する。タッチコントローラパネル４３０を用いることの外に、リモートコントローラ４００はトラッカボール（図示せず）を設けて、指または手のひらによるボールの動きに従って、カーソルをウィンドウで動かすことができる。
【００３６】
前述した実施例によれば、本発明のミニリモートコントローラの主な利点は、少なくとも下記の点を含んでいる。
【００３７】
１．ミニリモートコントローラは、メモリカードの寸法仕様に合致するように設計されるので、映画または音楽の再生が一旦終了すると、携帯電子デバイスのメモリカードスロット内に、リモートコントローラを都合良く収納することができる。したがって、リモートコントローラを保持し、使用後にリモートコントローラを置き忘れることによる紛失を防止するための保管領域を見つけることの問題は、解決される。
【００３８】
２．ミニリモートコントローラを、メモリカードスロットに挿入できるので、リモートコントローラを収納するためのデバイスを設ける必要はなく、または追加の製造工程を導入する必要はない。換言すれば、リモートコントローラは、携帯電子デバイスの外観にのみならず、携帯電子デバイスの内部の空間利用性にも影響はない。
【００３９】
３．提示リモートコントローラは、拡張スロットの寸法仕様に合致するように設計されるので、提示後に、携帯電子デバイスの拡張スロットに挿入して戻すことができる。したがって、リモートコントローラを保持し、使用後にリモートコントローラを置き忘れることによる紛失を防止するための保管領域を見つけることの問題は、解決できる。
【００４０】
本発明の範囲または趣旨から逸脱することなく、当業者であれば、本発明の構成に種々の変更および変形を加え得ることは明らかであろう。前述したことから、本発明は、本発明の範囲内にある変更および変形と、それらの均等物を含むことを意図するものである。
【図面の簡単な説明】
【００４１】
【図１】本発明の好適な一実施例による、携帯電子デバイス（メモリカードスロットを有する）に挿入されたミニリモートコントローラの斜視図である。
【図２】本発明の好適な一実施例による、ミニリモートコントローラ内の回路制御部を示すブロック図である。
【図３】本発明の好適な一実施例に基づく、ノートブックコンピュータを制御するミニリモートコントローラの制御フローを示すブロック図である。
【図４】本発明の好適な一実施例に基づく、ミニリモートコントローラの外観を示す図である。
【図５】本発明の好適な一実施例に基づく、ミニリモートコントローラの外観を示す図である。
【図６】本発明の好適な他の実施例に基づく、携帯コンピュータ（拡張スロットを有する）に挿入される提示を作成するリモートコントローラを示す斜視図である。
【図７】本発明に基づいて提示を行うリモートコントローラの外観を示す図である。
【符号の説明】
【００４２】
１００  ミニリモートコントローラ
１１０  ケーシング
１３０  制御ユニット
１５０  電源
１６０  無線信号
２００  携帯電子デバイス
２１０  処理ユニット
２０４  メモリカードスロット
２１２  信号受信ユニット
３００  携帯コンピュータ
３０２  拡張スロット
４００  リモートコントローラ
【図１】
2006060782.tif 000003
【図２】
2006060782.tif 000004
【図３】
2006060782.tif 000005
【図４】
2006060782.tif 000006
【図５】
2006060782.tif 000007
【図６】
2006060782.tif 000008
【図７】
2006060782.tif 000009